(57)【要約】【課題】  遠赤外線放射により健康増進及び筆記作業の高能率化に有用な炭素粉を容易に含ませることができ、また、アロマエキスなどの芳香物質をも容易に含ませることができる筆記具を提供する。【解決手段】  この筆記具１は、外郭を形成する略筒状の軸体２と、軸体２の内側に設けられる棒状の芯体３と、を備えるものにおいて、軸体２は２０重量％以上で７０重量％以下の範囲にある炭素粉が抄き込まれた紙材の成型品である円筒部２ａと、複数の弾性体が所定の間隔で固着されたグリップ部２ｃと、を有し、紙には芳香物質が含まれている。【選択図】  図１
2006334956.tif 000002
【特許請求の範囲】
【請求項１】
外郭を形成する略筒状の軸体と、軸体の内側に設けられる棒状の芯体と、を備える筆記具において、
前記軸体は、少なくともその一部が炭素粉を抄き込んだ紙材で形成されていることを特徴とする筆記具。
【請求項２】
請求項１に記載された筆記具において、
前記軸体は、炭素粉を抄き込んだ紙材の成型品である円筒部又は多角筒部を有することを特徴とする筆記具。
【請求項３】
請求項１に記載された筆記具において、
前記軸体は、プラスチック材の成型品である円筒部又は多角筒部と、それに巻着された炭素粉を抄き込んだ紙材の巻着シート部と、を有することを特徴とする筆記具。
【請求項４】
請求項１乃至３のいずれかに記載された筆記具において、
前記軸体の炭素粉は、紙材に対し２０重量％以上で７０重量％以下の範囲にあることを特徴とする筆記具。
【請求項５】
請求項１乃至４のいずれかに記載された筆記具において、
前記軸体は、複数の弾性体が所定の間隔で固着されたグリップ部を有することを特徴とする筆記具。
【請求項６】
請求項１乃至５のいずれかに記載された筆記具において、
前記紙材には芳香物質が含まれていることを特徴とする筆記具。
【発明の詳細な説明】
【技術分野】
【０００１】
本発明は、ボールペン、シャープペンシル、万年筆、サインペンなどの筆記具、特に健康増進や筆記作業の高能率化が図れる筆記具に関する。
【背景技術】
【０００２】
本願発明者が発明者として含まれる特許文献１には、健康増進や筆記作業の高能率化が図れる筆記具が提案されている。この筆記具は、外郭を形成する略筒状の軸体に炭素粉が含まれている。そのため、筆記作業中に、遠赤外線放射により血液循環が促進されて健康増進効果が得られ、また、良好な導電性により人体から有害な静電気が除去されて筆記作業の高能率化が図れる。
【０００３】
【特許文献１】特開２００４−３３０７６２号公報
【発明の開示】
【発明が解決しようとする課題】
【０００４】
ところで、筆記具の軸体などの成型品は、一般に、プラスチック材料（例えば、ポリプロピレン樹脂）又は無機質材料（例えば、セピオライト）を主な材料として成型されており、プラスチック材のものは、無機質材のものに比べて割れにくいという利点を有している。
【０００５】
しかし、その成型品に炭素粉を含ませる場合、炭素粉とプラスチック材料の比重の違いにより、約２０重量％以上の炭素粉を混合させることは極めて難しい。また、約２０重量％未満の炭素粉を混合させて成型するときでも、成型機において炭素粉とプラスチック材料のための射出ノズルが別々に必要であった。
【０００６】
また、筆記作業中の使用者を心地良くする（リラックスさせる）ための工夫として、アロマエキスなどの芳香物質をプラスチック材の成型品に含ませることも極めて難しい。
【０００７】
本発明は、係る事由に鑑みてなされたものであり、その目的は、軸体に適量の炭素粉を含ませ、更に、その軸体に芳香物質をも含ませることが容易に実現できる筆記具を提供することにある。
【課題を解決するための手段】
【０００８】
上記目的を達成するために、請求項１に記載の筆記具は、外郭を形成する略筒状の軸体と、軸体の内側に設けられる棒状の芯体と、を備える筆記具において、前記軸体は、少なくともその一部が炭素粉を抄き込んだ紙材で形成されていることを特徴とする。
【０００９】
請求項２に記載の筆記具は、請求項１に記載された筆記具において、前記軸体は、炭素粉を抄き込んだ紙材の成型品である円筒部又は多角筒部を有することを特徴とする。
【００１０】
請求項３に記載の筆記具は、請求項１に記載された筆記具において、前記軸体は、プラスチック材の成型品である円筒部又は多角筒部と、それに巻着された炭素粉を抄き込んだ紙材の巻着シート部と、を有することを特徴とする。
【００１１】
請求項４に記載の筆記具は、請求項１乃至３のいずれかに記載された筆記具において、前記軸体の炭素粉は、紙材に対し２０重量％以上で７０重量％以下の範囲にあることを特徴とする。
【００１２】
請求項５に記載の筆記具は、請求項１乃至４のいずれかに記載された筆記具において、前記軸体は、複数の弾性体が所定の間隔で固着されたグリップ部を有することを特徴とする。
【００１３】
請求項６に記載の筆記具は、請求項１乃至５のいずれかに記載された筆記具において、前記紙材には芳香物質が含まれていることを特徴とする。
【発明の効果】
【００１４】
本発明の筆記具によれば、軸体を、少なくともその一部が炭素粉を抄き込んだ紙材で形成しているので、軸体に適量の炭素粉を含ませ、更に、その軸体に芳香物質をも含ませることが容易に実現できる。
【発明を実施するための最良の形態】
【００１５】
以下、本発明を実施するための最良の形態を図面を参照しながら説明する。図１は本発明の望ましい実施形態に係る筆記具１を示すものであり、（ａ）は側面断面図、（ｂ）は（ａ）のＡ−Ａ線に沿った断面図である。筆記具１はボールペンであり、外郭を形成する略筒状の軸体２と、軸体２の内側に設けられる棒状の芯体３と、軸体２の後端に嵌着される後端栓４と、を有する。
【００１６】
軸体２は、円筒部２ａと、円筒部２ａの前端に嵌着又は螺着されるペン先ホルダ部２ｂと、円筒部２ａの外面におけるペン先ホルダ部２ｂ側に寄った位置であって指が接触する部分に設けられたグリップ部２ｃと、から成っている。円筒部２ａは、主たる材料が紙材の成型品であり、これに炭素粉が抄き込まれている。円筒部２ａは、水に溶かした紙材に炭素粉を添加した後、脱水して圧縮及び成型することにより製造することができる。この紙材で形成された円筒部２ａは、紙材の密度が高いので使用する上で十分に硬く、その上、無機質材（例えば、セピオライト）のものに比べて割れにくい。また、ペン先ホルダ部２ｂは金属材製である。なお、円筒部２ａとペン先ホルダ部２ｂとを、炭素粉が抄き込まれた紙材で一体に形成することも可能である。
【００１７】
炭素粉は、木炭又は竹炭等の炭化物、黒鉛などの粉末である。これらの炭素粉は、光や熱としての外部エネルギを吸収して遠赤外線を放射する。また、炭素粉により円筒部２ａは良好な導電性を有するようになる。炭素粉は、全体に占める割合が大きい程、遠赤外線の放射量及び導電性の点で望ましいが、大きすぎると紙の物理的な強度が低下する。実験の結果、炭素粉は全体の５重量％以上で７０重量％以下の範囲にあるのが望ましく、導電性の点では２０重量％以上であることが更に望ましい。
【００１８】
グリップ部２ｃは、長時間の筆記作業が継続できるように、複数の粒状の軟らかな弾性体（例えば、シリコンゴム）から成っている。複数の弾性体は、所定の間隔（例えば、２ｍｍ程度）で円筒部２ａに固着され、軸体２を握ったときに指の皮膚が円筒部２ａに触れるようにしている。従って、弾性体は、炭素粉を含まなくても良い。このグリップ部２ｃの複数の弾性体は、スクリーン印刷により形成することができる。
【００１９】
芯体３は、インク収容部３ａと、インク収容部３ａの前端に固着されるペン先部３ｂと、から成っている。ペン先部３ｂは金属材製である。
【００２０】
後端栓４は、軸体２の後端の開口を塞ぎ、また、芯体３の後端を支持する。後端栓４は、紙、金属、プラスチック材料などで形成する。また、紙材製の軸体２に一体的に形成して後端栓４の機能を持たせることも可能である。
【００２１】
この筆記具１を使用すれば、軸体２に抄き込まれた炭素粉により、背景技術において説明した特許文献１の筆記具と同様の効果を得ることができる。すなわち、筆記作業中に、遠赤外線放射により血液循環が促進され、それにより健康増進効果が得られる。また、指又は掌に触れる円筒部２ａは良好な導電性を有し、そして、ペン先ホルダ部２ｂとペン先部３ｂは導電性がある金属材製なので、筆記動作により指又は掌に生じた静電気は筆記具１を介して紙面などに逃げる。静電気が除去されることで手は疲れにくくなり、それにより筆記作業の高能率化も図れる。なお、ペン先ホルダ部２ｂは導電性があるものが望ましいが、筆記作業の途中において円筒部２ａが紙面などに触れることが期待される場合は、それには限られない。また、理由はまだ定かではないが、炭素粉は脳のα波を増加させる効果があることが本願発明者により確認されており、それによっても健康増進効果や筆記作業の高能率化が期待できる。
【００２２】
加えて、上述のように、軸体２は、紙材に炭素粉を抄き込むので、容易に所望の量の炭素粉を含ませて製造することができる。
【００２３】
次に、本発明の望ましい別の実施形態に係る筆記具５を説明する。図２はこの筆記具５を示すものであり、（ａ）は側面断面図、（ｂ）は（ａ）のＢ−Ｂ線に沿った断面図である。筆記具５の芯体３と後端栓４とは、筆記具１と同様である。筆記具５の軸体６は、円筒部６ａとペン先ホルダ部６ｂと巻着シート部６ｄとグリップ部６ｃとから成っている。円筒部６ａは、プラスチック材の成型品であり、炭素粉は含まれていない。ペン先ホルダ部６ｂは、筆記具１と同様である。巻着シート部６ｄは、炭素粉を抄き込んでシート上に形成されたもので、円筒部６ａに巻着されている。グリップ部６ｃは、筆記具１と同様であるが、巻着シート部６ｄに固着されている。巻着シート部６ｄに抄き込まれた炭素粉については筆記具１と同様であるので説明は省略する。
【００２４】
この筆記具５の利点は筆記具１と同様である。更に、この筆記具５の利点は、巻着シート部６ｄを炭素粉を抄き込んだ紙材でシート状に別途形成し、それにグリップ部６ｃを固着して別部材として提供し、通常の筆記具に貼り付け巻着するようにすることも可能になることである。
【００２５】
以上説明した筆記具１、５は、軸体２の少なくとも一部を形成する紙材に、アロマエキスなどの芳香物質が含まれるようにすることができる。具体的には、芳香物質をマイクロカプセルに閉じ込め、マイクロカプセルを紙に抄き込む。時が経つにつれてマイクロカプセルは少しずつ破け、芳香物質が流出して徐々に気化する。そうすると、芳香物質により、筆記作業中の使用者は心地良くなり（リラックスし）、筆記作業の高能率化が図られる。また、マイクロカプセルは少しずつ破けるので、芳香物質の気化は長い期間継続する。炭素粉が炭化物などの多孔質である場合は、マイクロカプセルから流出した芳香物質が炭素粉の多くの孔に蓄えられるので、芳香物質の気化は更に長い期間継続する。
【００２６】
また、上記グリップ部２ｃは、特許文献１に記載された炭素粉を含んだ筆記用リングに置き換えることも可能である。但し、シリコンゴムなどの弾性体は炭素粉を含むと硬くなるので、グリップ部２ｃは握りやすさの面において利点がある。また、コストを削減するためには、握りにくくはなるが、グリップ部２ｃを省略することも可能である。
【００２７】
以上、本発明の望ましい実施形態に係る筆記具について説明したが、本発明は、実施形態に記載したものに限られることなく、特許請求の範囲に記載した事項の範囲内でのさまざまな設計変更が可能である。例えば、実施形態に記載した筆記具はボールペンであるが、シャープペンシル、万年筆、サインペンなどの他の筆記具に本発明が適用できるのは勿論である。シャープペンシルに適用される場合は、インク収容部３ａは黒鉛芯の収容部に読み替えられる。また、実施形態に記載した形状や構造に限らず、さまざまに変形できることも勿論である。例えば、円形の円筒部２ａ、６ａを多角形（例えば６角形）の多角筒部とすることもできる。
【図面の簡単な説明】
【００２８】
【図１】本発明の望ましい実施形態に係る筆記具を示すもので、（ａ）は側面断面図、（ｂ）は（ａ）のＡ−Ａ線に沿った断面図である。
【図２】本発明の望ましい別の実施形態に係る筆記具を示すもので、（ａ）は側面断面図、（ｂ）は（ａ）のＢ−Ｂ線に沿った断面図である。
【符号の説明】
【００２９】
１、５      筆記具
２、６      軸体
２ａ、６ａ  軸体の円筒部
２ｃ、６ｃ  軸体のグリップ部（弾性体）
６ｄ        軸体の巻着シート部
３          芯体
【図１】
2006334956.tif 000003
【図２】
2006334956.tif 000004